(57)【要約】      （修正有）【課題】従来技術では歯口隙間の大きさが一定であるためできなかった厚みの異なる立体構造編物を編成できる横編機を提供する。【解決手段】歯口隙間１０大きさが変更可能な横編機構造であって２つの針床１１，１２とそのうち１つの針床に向くように設けられるカムシステム１３とを含み各針床は複数の編針１５とそのうち１つの編針に対応して設けられる複数のキャリッジ１６は各編針に備えられた各バットと同じ側に設けられる制御バット１６１を備え２つの針床は間隔を隔てて設けられることにより互いに対向するキャリッジにより設定される歯口隙間の間隔は互いに対向する２つのキャリッジの間隔に等しく各カムシステムはバットを受け入れるとともに各編針が歯口隙間に向かって編成行程にて移動するようにガイドする編針カムと制御バットを受け入れるキャリッジカムはキャリッジを連動させ歯口隙間の大きさを変更する変位行程を有するように制御される。【選択図】図２
2020133009.tif 000002
【特許請求の範囲】
【請求項１】
２つの針床であって、それぞれバットを備える複数の編針と、そのうち１つの前記編針に対応して設けられ、各前記バットと同じ側に設けられる制御バットを備える複数のキャリッジとを有し、当該２つの針床が互いに間隔を隔てて設けられることにより、互いに対向するキャリッジにより歯口隙間が設定され、前記歯口隙間の間隔は、互いに対向する２つの前記キャリッジの間隔に等しく、各前記編針により編針の延伸線が設定され、各前記バットは、そのうち１つの前記編針の延伸線上にそれぞれ配置され、各前記制御バットは、そのうち１つの前記編針に対応して前記編針の延伸線上に配置され、各前記キャリッジは、前記制御バットが成形された延伸区間と、前記延伸区間に接続される湾曲区間と、前記湾曲区間に接続されるとともにそのうち１つの前記編針の先端に並列して設けられる編目進入区間とを備える２つの針床と、
そのうち１つの前記針床に向くようにそれぞれ設けられ、且つ、これらのバットを受け入れるとともに各前記編針が前記歯口隙間に向かって編成行程にて移動するようにガイドする編針カムと、これらの制御バットを受け入れるキャリッジカムとを備え、前記キャリッジカムは、これらのキャリッジを連動させて前記歯口隙間の大きさを変更する変位行程を有するように制御される２つのカムシステムとを含むことを特徴とする歯口隙間の大きさが変更可能な横編機構造。
【請求項２】
各前記キャリッジは、前記編目進入区間に配置される編目脱出ワイヤ取付け孔と、前記延伸区間に配置される少なくとも１つの規制ワイヤ取付け孔とを備えることを特徴とする請求項１に記載の歯口隙間の大きさが変更可能な横編機構造。
【請求項３】
各前記針床は、針床座にそれぞれ設けられる複数のスライド溝を備え、各前記キャリッジは、前記編目進入区間に配置されるとともに前記キャリッジカムが前記変位行程にて移動する時、前記スライド溝内で摺動する底部を備えることを特徴とする請求項２に記載の歯口隙間の大きさが変更可能な横編機構造。
【請求項４】
各前記キャリッジカムは、第１の遷移区間と、前記第１の遷移区間に接続される直線区間と、前記直線区間に接続される第２の遷移区間とを備え、前記第１の遷移区間及び前記第２の遷移区間は、前記直線区間に向かってそれぞれ漸次縮小し、前記直線区間の寸法は同一であることを特徴とする請求項１に記載の歯口隙間の大きさが変更可能な横編機構造。
【請求項５】
各前記キャリッジカムは、そのうち１つの前記カムシステムの前記歯口隙間に向く側にそれぞれ設けられることを特徴とする請求項１又は請求項４に記載の歯口隙間の大きさが変更可能な横編機構造。
【発明の詳細な説明】
【技術分野】
【０００１】
本発明は、横編機構造に関し、より詳しくは、キャリッジが可動で歯口隙間の大きさが変更可能な横編機構造に関する。
【背景技術】
【０００２】
従来、厚みの異なる立体構造編物を編成するためには一般的に、経編機を用いる。関連技術としては、中国特許公開第ＣＮ１０２７０４１８０Ａ号、中国特許公開第ＣＮ１０２９７８８２３Ａ号、中国特許公開第ＣＮ１０５２２０３４７Ａ号等がある。
【０００３】
しかしながら、従来の横編機を使用する場合、立体構造編物の編成を実現できない。その理由は、横編機の歯口隙間が固定されたキャリッジにより決まるため、厚みが同一の編物の編成にしか対応できないためである。
【発明の概要】
【発明が解決しようとする課題】
【０００４】
本発明は、従来の横編機を使用する場合において、歯口隙間の大きさが一定であるため生じている一連の課題を解決することを目的としている。
【課題を解決するための手段】
【０００５】
上記目的を達成するためになされた本発明は、歯口隙間の大きさが変更可能な横編機構造を提供する。当該横編機構造は、２つの針床と、そのうち１つの当該針床に向くようにそれぞれ設けられるカムシステムとを含み、各当該針床は、複数の編針と、そのうち１つの当該編針に対応して設けられる複数のキャリッジとを含み、各当該編針は、バットを備え、各当該キャリッジは、各当該バットと同じ側に設けられる制御バットを備え、当該２つの針床は、間隔を隔てて設けられることにより、互いに対向するキャリッジにより歯口隙間が設定され、当該歯口隙間の間隔は、互いに対向する２つの当該キャリッジの間隔に等しく、各当該編針により編針の延伸線が設定され、各当該バットは、そのうち１つの当該編針の延伸線上にそれぞれ配置され、各当該制御バットは、そのうち１つの当該編針に対応して当該編針の延伸線上に配置され、各当該キャリッジは、当該制御バットが成形された延伸区間と、当該延伸区間に接続される湾曲区間と、当該湾曲区間に接続されるとともにそのうち１つの当該編針の先端に並列して設けられる編目進入区間とを備える。各当該カムシステムは、これらのバットを受け入れるとともに各当該編針が当該歯口隙間に向かって編成行程にて移動するようにガイドする編針カムと、これらの制御バットを受け入れるキャリッジカムとを備え、当該キャリッジカムは、これらのキャリッジを連動させて当該歯口隙間の大きさを変更する変位行程を有するように制御される。
【０００６】
本発明に係る横編機構造の一実施形態において、各当該キャリッジは、当該編目進入区間に配置される編目脱出ワイヤ取付け孔と、当該延伸区間に配置される少なくとも１つの規制ワイヤ取付け孔とを備える。
【０００７】
本発明に係る横編機構造の一実施形態において、各当該針床は、針床座にそれぞれ設けられる複数のスライド溝を備え、各当該キャリッジは、当該編目進入区間に配置されるとともに当該キャリッジカムが当該変位行程にて移動する時、当該スライド溝内で摺動する底部を備える。
【０００８】
本発明に係る横編機構造の一実施形態において、各当該キャリッジカムは、第１の遷移区間と、当該第１の遷移区間に接続される直線区間と、当該直線区間に接続される第２の遷移区間とを備え、当該第１の遷移区間及び当該第２の遷移区間は、当該直線区間の方に向かってそれぞれ漸次縮小し、当該直線区間の寸法は同一である。
【０００９】
本発明に係る横編機構造の一実施形態において、各当該キャリッジカムは、そのうち１つの当該カムシステムの当該歯口隙間に向く側にそれぞれ設けられる。
【発明の効果】
【００１０】
本発明の概要にて記載されている内容から分かるように、本発明に係る横編機構造は、従来技術に比べ以下の利点を有する。本発明に係る横編機構造において、カムシステムはキャリッジカムを含んで構成されることにより、キャリッジは編成時のニーズに応じて移動して、当該横編機構造の当該歯口隙間の大きさを変更できるため、厚みの異なる立体構造編物の編成にも対応できる。
【図面の簡単な説明】
【００１１】
【図１】本発明に係る横編機構造の一実施形態を概略的に示す図である。
【図２】本発明に係る横編機構造の一実施形態における歯口隙間が小さい場合の針床部分の構造を概略的に示す図である。
【図３】本発明に係る横編機構造の一実施形態における歯口隙間が大きい場合の針床部分の構造を概略的に示す図である。
【図４】本発明に係る横編機構造の一実施形態におけるキャリッジの構造を概略的に示す図である。
【図５】本発明に係る横編機構造の一実施形態におけるキャリッジと編針の構造関係を概略的に示す図である。
【図６】本発明に係る横編機構造の一実施形態におけるキャリッジと編針の構造関係について、部分的に拡大して概略的に示す図である。
【図７】本発明に係る横編機構造の一実施形態におけるカムシステムの構造を概略的に示す図である。
【図８】本発明に係る横編機構造の一実施形態におけるカムシステムの動作を概略的に示す図である。
【図９】厚みの異なる立体構造編物の構造を概略的に示す図である。
【発明を実施するための形態】
【００１２】
以下、関連する各図を参照しながら、本発明に係る横編機構造を詳細に説明する。
【００１３】
図１及び図９に示すように、本発明は、横編機構造１００を提供する。横編機構造１００は、編成プロセスにおいて編成時のニーズに応じて、歯口隙間１０の大きさを変更することにより、立体構造編物９０（Ｓｐａｃｅｒ  Ｆａｂｒｉｃ）を編成する過程で立体構造編物９０の厚みを変更することができる。横編機構造１００は、２つの針床１１、１２と、そのうち１つの針床１１（１２）に向くようにそれぞれ設けられるカムシステム１３（１４）とを含む。なお、２つの針床１１、１２とは、従来技術でいう前針床及び後針床を指す。２つの針床１１、１２は、一定の角度にて傾斜するようにそれぞれ設けられ、且つ間隔を隔てて設けられることにより両者の間に隙間を形成する。各針床１１はそれぞれ複数の編針１５と、そのうち１つの編針１５に対応するようにそれぞれ設けられるキャリッジ１６とを備える。本発明に係る横編機構造において、これらのキャリッジ１６はシンカー以外のものとし、これらのキャリッジ１６は、可動的に構成されるが、対応するそのうち１つの編針１５が動作する時には動作しない。また、本発明に係る横編機構造において、歯口隙間１０は、２つの針床１１、１２における互いに対向して設けられるこれらのキャリッジ１６により設定される。歯口隙間１０の間隔は、互いに対向するように設けられる２つのキャリッジ１６の間隔に等しい（図中１０１を参照する）。図３から図６に示すように、各編針１５はそれぞれバット１５１を備え、各キャリッジ１６は、各バット１５１と同じ側に設けられる制御バット１６１を備える。さらに、本発明に係る横編機構造において、各キャリッジ１６は、対応するそのうち１つの編針１５にそれぞれ載置される。バット１５１は、編針１５の針床座１７から離隔する側に設けられ、制御バット１６１は、キャリッジ１６の針床座１７から離隔する側に設けられる。図６に示すように、本発明に係る横編機構造において、各編針１５により編針の延伸線１５２が設定される。編針１５におけるバット１５１は、編針の延伸線１５２上に配置され、編針１５に対応するように設けられるキャリッジ１６における制御バット１６１も、編針の延伸線１５２上に配置される。また、制御バット１６１及びバット１５１が同一の編針の延伸線１５２上に位置するように、各キャリッジ１６の長さは編針１５の全長より短いように構成される。
【００１４】
図４及び図６に示すように、本発明に係る横編機構造の一実施形態において、キャリッジ１６は、制御バット１６１が成形された延伸区間１６２と、延伸区間１６２に接続される湾曲区間１６３と、湾曲区間１６３に接続されるとともにそのうち１つの編針１５の先端に並列して設けられる編目進入区間１６４とを備える。さらに、延伸区間１６２は、編針１５の上方に載置され、湾曲区間１６３により編目進入区間１６４と延伸区間１６２は、異なる延伸線上に配置されるとともに、編目進入区間１６４と編針１５が並列することにより編針１５が動作すると、編目に入れる動作を行う。また、各キャリッジ１６は、編目進入区間１６４に配置される編目脱出ワイヤ取付け孔１６５と、延伸区間１６４に配置される少なくとも１つの規制ワイヤ取付け孔１６６とをさらに備える。図５及び図６に示すように、本発明に係る横編機構造の一実施形態において、キャリッジ１６は、編目進入区間１６４において厚みが同一でないように、キャリッジ１６の編目進入区間１６４における厚みは、その他の部分における厚みより小さいように構成されてもよい（図６を参照）。図２及び図４に示すように、各針床１１は、針床座１７にそれぞれ成形された複数のスライド溝１７１を備え、各キャリッジ１６は、編目進入区間１６４に配置されるとともにスライド溝１７１内に設けられる底部１６７を備える。
【００１５】
図２、図７及び図８に示すように、さらに、各カムシステム１３（１４）は、そのうち１つの針床１１（１２）に向くようにそれぞれ設けられる。各カムシステム１３（１４）は、これらのバット１５１を受け入れる編針カム１３１と、これらの制御バット１６１を受け入れるキャリッジカム１３２とを備える。各編針カム１３１及び各キャリッジカム１３２は、少なくとも１つのカムユニットを備えて構成され、編針カム１３１には連続する隆起部及び陥没部を備えることにより、その中に設けられたバット１５１は、各カムシステム１３（１４）が動作する時、歯口隙間１０に向かって編成行程１５３にて移動する。また、本発明に係る横編機構造の一実施形態において、各キャリッジカム１３２は、第１の遷移区間１３４と、第１の遷移区間１３４に接続される直線区間１３５と、直線区間１３５に接続される第２の遷移区間１３６とを備え、第１の遷移区間１３４及び第２の遷移区間１３６は、直線区間１３５の方に向かってそれぞれ漸次縮小し、直線区間１３５の寸法は同一である。さらに、第１の遷移区間１３４及び第２の遷移区間１３６が漸次縮小する構成とするのは、キャリッジカム１３２が変位後も、これらの制御バット１６１をガイドできるようにするためである。各キャリッジカム１３２は、そのうち１つのカムシステム１３（１４）の歯口隙間１０に向く側にそれぞれ設けられる。
【００１６】
さらに、本発明に係る横編機構造において、キャリッジカム１３２により各キャリッジ１６の位置が決まり、そして歯口隙間１０の大きさを変更させる。キャリッジカム１３２は、編針カム１３１のように、明らかな起伏を有する当該隆起部及び当該陥没部を備えるものではなく、キャリッジカム１３２における各キャリッジ１６をガイドするための部位は、その大半が平面である。本発明に係る横編機構造において、キャリッジカム１３２は変位行程１３３を有するように制御される。変位行程１３３において、キャリッジカム１３２がカム載置座１３７に対して線形移動を行うとともに、各キャリッジ１６を連動して変位させて、各キャリッジ１６の位置を変更することにより、歯口隙間１０の大きさを変更する。キャリッジカム１３２の変位については、図２及び図３に示すとおりである。
【００１７】
さらに、本発明に係る横編機構造において、各キャリッジカム１３２には、移動機構が接続されてもよい。当該移動機構は、制御信号を受信することでキャリッジカム１３２を連動して変位行程１３３にて移動させることができ、当該制御信号は、プログラムにより生成されるものであってもよい。これにより、立体構造編物９０を編成する過程で、立体構造編物９０の厚みを変更したり、さらには立体構造編物９０を起伏を有する構造にしたりすることが可能である。
【符号の説明】
【００１８】
１００      横編機構造
１０        歯口隙間
１０１      間隔
１１、１２  針床
１３、１４  カムシステム
１３１      編針カム
１３２      キャリッジカム
１３３      変位行程
１３４      第１の遷移区間
１３５      直線区間
１３６      第２の遷移区間
１３７      カム載置座
１５        編針
１５１      バット
１５２      編針の延伸線
１５３      編成行程
１６        キャリッジ
１６１      制御バット
１６２      延伸区間
１６３      湾曲区間
１６４      編目進入区間
１６５      脱出ワイヤ取付け孔
１６６      規制ワイヤ取付け孔
１６７      底部
１７        針床座
１７１      スライド溝
９０        立体構造編物
【図１】
2020133009.tif 000003
【図２】
2020133009.tif 000004
【図３】
2020133009.tif 000005
【図４】
2020133009.tif 000006
【図５】
2020133009.tif 000007
【図６】
2020133009.tif 000008
【図７】
2020133009.tif 000009
【図８】
2020133009.tif 000010
【図９】
2020133009.tif 000011